(57)【特許請求の範囲】
【請求項１】
複数の連結孔が形成された一対の接続部を、前記連結孔に嵌合ピンを装着して接続する光コネクタを対象として、前記接続部の前記連結孔に前記嵌合ピンを着脱する光コネクタの嵌合ピン着脱工具であって、
一対の杆体がそれぞれの中間部においてピンにより互いに回動自在に連結され、これら各杆体の後端部側が同先端部側を開閉する操作部とされると共に、該先端部側に互いに離間・接近自在な嵌合ピン挟持壁部が形成され、これら嵌合ピン挟持壁部の互いに対向する面の少なくとも一方に前記後端部から先端部方向に延在し、互いに平行に位置すると共に該嵌合ピン挟持壁部の先端面に達する複数の溝が形成されており、
前記溝の一端は前記嵌合ピン挟持壁部の先端面に達しており、前記溝の他端は前記嵌合ピン挟持壁部を貫通せず、前記嵌合ピン挟持壁部上に位置し、
複数のピンについて接続部に穿孔された連結孔に圧入する作業を同時に行なうことができるようになっており、
前記嵌合ピン挟持壁部には、前記ピンを挟み込む面にゴムが貼付されていることを特徴とする光コネクタの嵌合ピン着脱工具。
【請求項２】
前記複数の連結孔が形成された一対の接続部を、前記連結孔に嵌合ピンを装着して接続する光コネクタを対象として、前記接続部の前記連結孔に前記嵌合ピンを着脱する光コネクタの嵌合ピン着脱工具であって、
一対の杆体がそれぞれの中間部においてピンにより互いに回動自在に連結され、これら各杆体の後端部側が同先端部側を開閉する操作部とされると共に、該先端部側に互いに離間・接近自在な嵌合ピン挟持壁部が形成され、これら嵌合ピン挟持壁部の互いに対向する面の少なくとも一方に前記後端部から先端部方向に延在し、互いに平行に位置すると共に該嵌合ピン挟持壁部の先端面に達する複数のＶ字状の溝が形成されており、
複数のピンについて接続部に穿孔された連結孔に圧入する作業を同時に行なうことができるようになっており、
前記嵌合ピン挟持壁部には、前記ピンを挟み込む面にゴムが貼付されていることを特徴とする光コネクタの嵌合ピン着脱工具。
【請求項３】
前記嵌合ピン挟持壁部の先端面には、隣り合う溝間に切欠部が形成されていることを特徴とする請求項１又は２記載の光コネクタの嵌合ピン着脱工具。
【発明の詳細な説明】
【０００１】
【産業上の利用分野】
本発明は、光ファイバーケーブルを接続する接続部に形成された連結孔に嵌合ピンの着脱をする光コネクタの嵌合ピン着脱工具に関するものである。
【０００２】
【従来の技術】
周知のとおり、光ファイバーケーブルは、近年、データ送受信の媒体として広く用いられるようになってきた。この光ファイバーケーブルを接続するには、光ファイバー端面同士を当接させる（正確には端面間の距離を１／２０インチ以下として保持する）必要があるが、そのために図６に示すコネクタ１が一般に用いられている。このコネクタ１は、接続すべき光ファイバーケーブル２、２の端部に設けられた接続部３、３と、これら接続部３、３にそれぞれ二箇所ずつ穿孔された連結孔４、４に嵌合する嵌合ピン５、５とから構成されている。接続部３は、前面に光ファイバーの端面６…を配置した合成樹脂製の部材であり、また、嵌合ピン５はその径が接続部３の連結孔４と密に嵌合することのできる径とされた金属製部材である。このコネクタ１によって光ファイバーケーブル２、２を接続する際には、一方の接続部３の連結孔４、４にそれぞれ嵌合ピン５、５の一端を圧入して図７に示す状態とした後、嵌合ピン５、５の他端をもう一方の接続部３の連結孔４、４に圧入し、双方の接続部３、３を一体化しコネクタ１とした後ホルダー７に装着する。また、光ファイバーケーブル２、２の接続を解く際は、接続部３、３をホルダー７から外しこれらを相互に離間させ、それぞれがどちらかの接続部３の連結孔４に保持された状態となっている嵌合ピン５、５を引き抜く。従来、これら嵌合ピン５を接続部３の連結孔４に着脱する作業は、嵌合ピン５をラジオペンチもしくはピンセットで把持して行なわれていた。
【０００３】
【発明が解決しようとする課題】
しかしながら、上述した従来の嵌合ピン５を連結孔４に着脱する作業においては、ラジオペンチ等で把持した嵌合ピン５の先端で接続部３のファイバー端面６を傷つけることがあり、また連結孔４に対して嵌合ピン５をまっすぐ挿入する、もしくは引き抜くことが困難であるため連結孔４を傷つけることもあった。さらに嵌合ピン５の挿入長を一定にすることも困難であったし、作業中に嵌合ピン５を取り落としてしまうことも多く、きわめて作業性の悪いものであった。この作業は充分な照明の下においても難しく、一対の光ファイバーケーブル２、２の接続・分離に際して嵌合ピン５、５毎に二回行なわねばならなかった。
【０００４】
本発明は、前記の事情に鑑みてなされたものであって、嵌合ピンの先端で接続部のファイバー端面及び連結孔を傷つける、もしくは嵌合ピンを取り落としてしまうというおそれなしに複数の嵌合ピンを同時に着脱することができ、しかも嵌合ピンの連結孔に対する挿入長を一定にすることができる光コネクタの嵌合ピン着脱工具を提供することを目的とする。
【０００５】
【課題を解決するための手段】
前記の目的を達成するために、本発明では以下の解決手段を提供する。
請求項１記載の発明は、複数の連結孔が形成された一対の接続部を、前記連結孔に嵌合ピンを装着して接続する光コネクタを対象として、前記接続部の前記連結孔に前記嵌合ピンを着脱する光コネクタの嵌合ピン着脱工具であって、一対の杆体がそれぞれの中間部においてピンにより互いに回動自在に連結され、これら各杆体の後端部側が同先端部側を開閉する操作部とされると共に、該先端部側に互いに離間・接近自在な嵌合ピン挟持壁部が形成され、これら嵌合ピン挟持壁部の互いに対向する面の少なくとも一方に前記後端部から先端部方向に延在し、互いに平行に位置すると共に該嵌合ピン挟持壁部の先端面に達する複数の溝が形成されており、前記溝の一端は前記嵌合ピン挟持壁部の先端面に達しており、前記溝の他端は前記嵌合ピン挟持壁部を貫通せず、前記嵌合ピン挟持壁部上に位置し、複数のピンについて接続部に穿孔された連結孔に圧入する作業を同時に行なうことができるようになっており、前記嵌合ピン挟持壁部には、前記ピンを挟み込む面にゴムが貼付されていることを特徴とする光コネクタの嵌合ピン着脱工具である。
請求項２記載の発明は、前記複数の連結孔が形成された一対の接続部を、前記連結孔に嵌合ピンを装着して接続する光コネクタを対象として、前記接続部の前記連結孔に前記嵌合ピンを着脱する光コネクタの嵌合ピン着脱工具であって、一対の杆体がそれぞれの中間部においてピンにより互いに回動自在に連結され、これら各杆体の後端部側が同先端部側を開閉する操作部とされると共に、該先端部側に互いに離間・接近自在な嵌合ピン挟持壁部が形成され、これら嵌合ピン挟持壁部の互いに対向する面の少なくとも一方に前記後端部から先端部方向に延在し、互いに平行に位置すると共に該嵌合ピン挟持壁部の先端面に達する複数のＶ字状の溝が形成されており、複数のピンについて接続部に穿孔された連結孔に圧入する作業を同時に行なうことができるようになっており、前記嵌合ピン挟持壁部には、前記ピンを挟み込む面にゴムが貼付されていることを特徴とする光コネクタの嵌合ピン着脱工具である。
請求項３記載の発明は、前記嵌合ピン挟持壁部の先端面には、隣り合う溝間に切欠部が形成されていることを特徴とする請求項１又は２記載の光コネクタの嵌合ピン着脱工具である。
【０００６】
【作用】
本発明の光コネクタの嵌合ピン着脱工具は、それぞれの中間部においてピンにより互いに回動自在に連結された一対の杆体から構成され、これら杆体の後端部側が同先端部側を開閉する操作部とされていて、該先端部側には嵌合ピン挟持壁部が形成されている。そして、これら杆体の先端部に形成された嵌合ピン挟持壁部の互いに対向する面の少なくとも一方に複数の溝が形成されているので、杆体の操作部の操作により嵌合ピン挟持壁部の溝上に載置された複数の嵌合ピンを嵌合ピン挟持壁部が確実に挟持する。
【０００７】
【実施例】
つぎに、本発明の一実施例を図１ないし図５を参照して説明する。図１に示す光コネクタの嵌合ピン着脱工具１１（以下、「コネクタの嵌合ピン着脱工具」と略称する場合もある）は、一対の杆体１２及び１３から構成されていて、杆体１２、１３の先端部にはそれぞれ嵌合ピン挟持壁部１４、１５が形成されている。これら杆体１２、１３は後端の把持部（操作部）１２ａ、１３ａと、把持部１２ａ、１３ａから漸次接近し交差して離間する連結部１２ｂ、１３ｂと、連結部１２ｂ、１３ｂに連なりそれぞれが前記嵌合ピン挟持壁部１４、１５を支持する支持部１２ｃ、１３ｃとからなる。これら杆体１２、１３は連結部１２ｂ、１３ｂにおいてピン１６により互いに回動自在に連結されていて、把持部１２ａ、１３ａを操作することにより、先端の嵌合ピン挟持壁部１４、１５を開閉することができる。なお、連結部１２ｂ、１３ｂにはそれぞれ内側にフック部１７、１８が設けられ、これらフック部１７、１８間にバネ１９が配置されているので、把持部１２ａ、１３ａは開く方向に付勢され、嵌合ピン挟持壁部１４、１５は通常開いた状態となっている。
【０００８】
前記嵌合ピン挟持壁部１４、１５の詳細を図２ないし図４を参照して説明する。嵌合ピン挟持壁部１４の上面には嵌合ピン５、５を接続部３の連結孔４、４の間隔と同一間隔に載置するためのＶ字状の溝３１、３１が形成されていて、これら溝３１、３１の長さは嵌合ピン５の長さの略１／２とされている。そして嵌合ピン挟持壁部１４の先端面は、コネクタの嵌合ピン着脱工具１１を用いて嵌合ピン５、５を接続部３の連結孔４、４に圧入する、もしくは連結孔４、４から引き抜く際に接続部３のファイバー端面６…を傷つけることのないように溝３１、３１の間が切欠部３２とされている。また、嵌合ピン挟持壁部１５の下面には嵌合ピン５、５の滑り止めのためにゴム３３が貼付されており、嵌合ピン挟持壁部１５の長さは嵌合ピン挟持壁部１４先端面の溝３１、３１間を切欠部３２としたのと同様に接続部３のファイバー端面６…を傷つけることのないよう短くされている。
【０００９】
上記コネクタの嵌合ピン着脱工具１１を用いて接続部３の連結孔４、４に嵌合ピン５、５を装着するには、嵌合ピン挟持壁部１４の溝３１、３１に嵌合ピン５、５を載置し、把持部１２ａ、１３ａを把持して嵌合ピン５、５を嵌合ピン挟持壁部１４及び１５で挟持し、図５に示すように接続部３の連結孔４、４に圧入した後、把持部１２ａ、１３ａの把持を解けばよい。また、接続部３の連結孔４、４から嵌合ピン５、５を引き抜くには、把持部１２ａ、１３ａの操作により嵌合ピン５、５を嵌合ピン挟持壁部１４及び１５で挟持して引き抜けばよい。
【００１０】
このようなコネクタの嵌合ピン着脱工具１１を用いると嵌合ピン５、５を確実に挟持することができるので、これら嵌合ピン５、５を接続部３の連結孔４、４に圧入する作業をファイバー端面６…及び連結孔４、４を傷つけるおそれなしに二本同時に行なうことができ、嵌合ピン５、５の挿入長を一定とすることもできる。同様の効果は、接続部３の連結孔４、４から嵌合ピン５、５を引き抜く作業においても得られるので、従来充分な照明のもとでも困難をともなったこれら嵌合ピン５、５の圧入、引き抜き作業をある程度の照明のもとで容易かつ確実に行なうことができる。
【００１１】
本発明の他の実施例を図８及び図９に示す。これは、コネクタの嵌合ピン着脱工具１１の嵌合ピン挟持壁部１４下面に接続部３のガイド部材４１を取り付けたもので、ガイド部材４１は接続部３の下面に当接する底板部４２と、接続部３の両側面にそれぞれ当接する側板部４３、４３とから構成されている。このように嵌合ピン挟持壁部１４にガイド部材４１を取り付けたことにより、コネクタの嵌合ピン着脱工具１１による接続部３の連結孔４、４への嵌合ピン５、５の着脱はいっそう容易かつ確実に行なうことができる。
【００１２】
なお、上記実施例においては本発明のコネクタの嵌合ピン着脱工具１１を二本の嵌合ピン５、５の着脱を行なう工具として説明したが、同時に着脱すべき嵌合ピン５の本数がこれと異なる場合においても嵌合ピン挟持壁部１４に嵌合ピン５と同数の溝３１を設けることにより対応することができる。また、嵌合ピン５の滑り止めの対策として嵌合ピン挟持壁部１５の下面にゴム３３を貼付した場合を例にあげて説明したが、ゴム３３の代りに、例えばサンドペーパー等の適宜のものを貼付して用いてもよいし、嵌合ピン挟持壁部１５の下面にも溝３１を形成して接触面積を増大することによっても同様の効果をあげることができる。
【００１３】
【発明の効果】
本発明の光コネクタの嵌合ピン着脱工具によれば以下の効果を奏することができる。すなわち、本発明の光コネクタの嵌合ピン着脱工具によれば、複数の嵌合ピンを確実に挟持することができ、これら嵌合ピンを接続部に穿孔された連結孔に圧入する作業を接続部のファイバー端面及び連結孔を傷つけるおそれなしに複数本同時に行なうことができ、嵌合ピンの挿入長を一定とすることもできる。同様の効果は、接続部の連結孔から嵌合ピンを引き抜く作業においても得られるので、従来充分な照明のもとでも困難をともなったこれら嵌合ピンの圧入、引き抜き作業をある程度の照明のもとで容易かつ確実に行なうことができる。
【図面の簡単な説明】
【図１】本発明の一実施例である光コネクタの嵌合ピン着脱工具を示す正面図である。
【図２】同じく光コネクタの嵌合ピン着脱工具の先端部を示す正面図である。
【図３】同じく左側面図である。
【図４】同じく嵌合ピン挟持壁部の嵌合ピンを載置する溝が形成されている面を示す平面図である。
【図５】本発明の光コネクタの嵌合ピン着脱工具を用いて接続部の連結孔に嵌合ピンを圧入する作業を実施している状態を示す図である。
【図６】一対の光ファイバーケーブルを接続するコネクタ（光コネクタ）を構成する要素を示す斜視図である。
【図７】一方の接続部の連結孔に嵌合ピンを装着した状態を示す斜視図である。
【図８】本発明の他の実施例である光コネクタの嵌合ピン着脱工具の先端部を示す正面図である。
【図９】同じく嵌合ピン挟持壁部の嵌合ピンを載置する溝が形成されている面を示す平面図である。
【符号の説明】
１…コネクタ（光コネクタ）、２…光ファイバーケーブル、３…接続部、４…連結孔、５…嵌合ピン、６…ファイバー端面、１１…光コネクタの嵌合ピン着脱工具、１２…杆体、１３…杆体、１２ａ…把持部（操作部）、１３ａ…把持部（操作部）、１４…嵌合ピン挟持壁部、１５…嵌合ピン挟持壁部、１６…ピン、３１…溝
【図１】
0003547475.tif 000002
【図２】
0003547475.tif 000003
【図３】
0003547475.tif 000004
【図４】
0003547475.tif 000005
【図５】
0003547475.tif 000006
【図６】
0003547475.tif 000007
【図７】
0003547475.tif 000008
【図８】
0003547475.tif 000009
【図９】
0003547475.tif 000010